【事件の表示】
　特願２０１６−１７４４０３「電気光学装置の駆動方法」拒絶査定不服審判事件〔平成２８年１２月１５日出願公開、特開２０１６−２１２４４４、請求項の数（２）〕について、次のとおり審決する。
【結　論】
　原査定を取り消す。
　本願の発明は、特許すべきものとする。
【理　由】
第１　手続の経緯
　本願は、平成２３年１０月１８日に出願した特願２０１１−２２８８８６号の一部を平成２８年９月７日に新たな特許出願としたものであり、その手続の経緯は、概略、以下の通りである。
手続補正：平成２８年１０月４日付け
拒絶理由通知：平成２９年１０月３０日付け
手続補正：平成３０年１月４日付け
拒絶査定：平成３０年６月２８日付け（謄本送達日：同年７月３日）
拒絶査定不服審判の請求：平成３０年１０月３日
第２　原査定の概要
　原査定（平成３０年６月２８日付け拒絶査定）の概要は次のとおりである。
１　理由１（特許法第１７条の２第３項）について
・請求項１−２
　画素回路が接続されるデータ線に接続されている容量について、平成２８年１０月４日付け手続補正書でした補正の前では第１，第２保持容量の２つであったものが、（前記補正及び）平成３０年１月４日付け手続補正書でした補正により第１容量素子の１つのみになった。
　しかしながら、出願当初明細書、特許請求の範囲及び図面（以下、「当初明細書等」という。）には、データ線１４に接続される容量について、保持容量４４，保持容量５０の２つとすることのみが記載されており、
　また、当初明細書等には、当該容量について１つとする具体的な示唆はなく、加えて、当該容量を２つ設けてデータ信号を容量比分圧縮することにより、非常に細かい精度でデータ信号を出力させるという課題を解決（段落０００４，００３５−００３７）していることにかんがみれば、具体的な示唆がなくとも、前記課題が解決されなくなる当該容量を１つのみとすることが、当初明細書等の記載から自明なものともいえず、補正により、データ線に接続される容量についての新たな技術事項を導入するものである。
　したがって、平成３０年１月４日付け手続補正書でした補正は、当初明細書等に記載した事項の範囲内においてしたものではない。
２　理由２（特許法第２９条第２項）について
・請求項１−２
・引用文献等１−２
　本願請求項１−２に係る発明は、以下の引用文献１、２に基づいて、その発明の属する技術の分野における通常の知識を有する者（以下、「当業者」という。）が容易に発明できたものであるから、特許法第２９条第２項の規定により特許を受けることができない。
引用文献等一覧
１．特開２０１１−５３６３５号公報
２．特表２００２−５１６４１７号公報
第３　本願発明
　本願請求項１、２に係る発明（以下、それぞれ「本願発明１」、「本願発明２」という。）は、平成３０年１月４日付けの手続補正で補正された特許請求の範囲の請求項１、２に記載された事項により特定される発明であり、本願発明１、２は以下のとおりの発明である。
「【請求項１】
　走査線と、
　データ線と、
　一端が前記データ線に接続された第１容量素子と、
　一端の電位を保持する第２容量素子と、
　前記走査線と前記データ線との交差に対応して設けられた画素回路と、
　を有し、
　前記画素回路は、
　第１トランジスターと、
　発光素子と、
　前記データ線と前記第１トランジスターのゲートとの間に接続され、オンまたはオフする第２トランジスターと、
　前記第１トランジスターにおけるゲートとドレインとの間に接続され、オンまたはオフする第３トランジスターと、を含み、
　前記第１トランジスターと前記発光素子とは、高位側の電源と低位側の電源との間で直列に接続された電気光学装置の駆動方法であって、
　前記データ線に初期電位を供給するとともに、前記第１容量素子の他端に第１電位を供給する第１期間内に、前記第１容量素子の他端と前記第２容量素子の一端とを非接続とした状態で、前記第２容量素子の一端に入力端を介してデータ信号を供給し、
　前記第１期間の後の第２期間に、前記データ線への初期電位の供給を停止するとともに、前記第１容量素子の他端に第１電位を供給した状態で前記第２トランジスターおよび前記第３トランジスターをオンさせ、
　前記第２期間の後の第３期間に、前記第１容量素子の他端への前記第１電位の供給を停止して、前記第２容量素子の一端を、前記入力端とは非接続として前記第１容量素子の他端に接続する
　ことを特徴とする電気光学装置の駆動方法。
　　【請求項２】
　走査線と、
　データ線と、
　一端が前記データ線に接続された第１容量素子と、
　一端の電位を保持する第２容量素子と、
　前記走査線と前記データ線との交差に対応して設けられた画素回路と、
　を有し、
　前記画素回路は、
　第１トランジスターと、
　発光素子と、
　前記データ線と前記第１トランジスターのゲートとの間に接続され、オンまたはオフする第２トランジスターと、
　前記第１トランジスターにおけるゲートとドレインとの間に接続され、オンまたはオフする第３トランジスターと、を含み、
　前記第１トランジスターと前記発光素子とは、高位側の電源と低位側の電源との間で直列に接続された電気光学装置の駆動方法であって、
　第１期間に、前記データ線に初期電位を供給するとともに、前記第１容量素子の他端に第１電位を供給し、
　前記第１期間の後の期間であって、前記データ線への初期電位の供給を停止するとともに、前記第１容量素子の他端に第１電位を供給した状態で前記第２トランジスターおよび前記第３トランジスターをオンさせる第２期間内に、前記第１容量素子の他端と前記第２容量素子の一端とを非接続とした状態で、前記第２容量素子の一端に入力端を介してデータ信号を供給し、
　前記第２期間の後の第３期間に、前記第１容量素子の他端への前記第１電位の供給を停止して、前記第２容量素子の一端を、前記入力端とは非接続として前記第１容量素子の他端に接続する
　ことを特徴とする電気光学装置の駆動方法。」
第４　引用文献、引用発明等
１．引用文献１について
　原査定の拒絶の理由に引用された上記引用文献１には、図面とともに次の事項が記載されている（下線は当審による。以下同様。）。
（ａ）
「【０００１】
　
本発明は、有機電界発光表示装置及びその駆動方法に関し、特に、駆動トランジスタの閾値電圧及び第１電源の電圧降下を補償できるようにした有機電界発光表示装置及びその駆動方法に関する。
（ｂ）
「【００１４】
　
そこで、本発明の目的は、駆動トランジスタの閾値電圧及び第１電源の電圧降下を補償できるようにした有機電界発光表示装置及びその駆動方法を提供することである。
（ｃ）
「【００２０】
　図２は、本実施形態による有機電界発光表示装置を示す図である。図２において、デマルチプレクサ（ｄｅｍｕｌｔｉｐｌｅｘｅｒ：以下「ＤＥＭＵＸ」という）１７０は、ｊ（ｊは２以上の自然数）本のデータ線に接続されるが、説明の便宜上、ｊを３と仮定する。 
【００２１】
　
図２に示すように、本実施形態による有機電界発光表示装置は、第１走査線Ｓ１１〜Ｓ１ｎ、第２走査線Ｓ２１〜Ｓ２ｎ、及び第２データ線Ｄ２１〜Ｄ２ｍの交差部に位置する画素１４０を備える画素部１３０と、
【００２２】
　また、本実施形態による有機電界発光表示装置は、出力線Ｏ１〜Ｏｉの各々に接続され、水平期間において、自身が接続した出力線（Ｏ１〜Ｏｉのいずれか１つ）に供給されるｊ個のデータ信号をｊ本の第１データ線に供給するためのＤＥＭＵＸ１７０と、ＤＥＭＵＸ１７０及び共通回路部１６０を制御するためのスイッチ制御部１８０とを備える。
【００２３】
　走査駆動部１１０は、タイミング制御部１５０から走査駆動制御信号ＳＣＳを受信する。走査駆動制御信号ＳＣＳを受信した走査駆動部１１０は、第１走査信号を生成して第１走査線Ｓ１１〜Ｓ１ｎに順次供給し、第２走査信号を生成して第２走査線Ｓ２１〜Ｓ２ｎに順次供給する。また、走査駆動部１１０は、発光制御信号を生成して発光制御線Ｅ１〜Ｅｎに順次供給する。【００２４】
　ここで、第１走査信号及び第２走査信号は、画素１４０に備えられたトランジスタがターンオン可能な電圧（例えば、ロー電圧）に設定され、発光制御信号は、画素１４０に備えられたトランジスタがターンオフ可能な電圧（例えば、ハイ電圧）に設定される。また、ｋ（ｋは自然数）番目の第２走査線Ｓ２ｋに供給される第２走査信号は、ｋ番目の第１走査線Ｓ１ｋに供給される第１走査信号よりも先に供給されると共に、第１走査信号の供給が中断された後に供給が中断される。また、発光制御線Ｅに供給される発光制御信号は、２つの第２走査信号と重畳するように供給される。例えば、ｋ番目の発光制御線Ｅｋに供給される発光制御信号は、ｋ番目の第２走査線Ｓ２ｋ及びｋ＋１番目の第２走査線Ｓ２ｋ＋１に供給される第２走査信号と重畳するように供給される。 
【００２５】
　データ駆動部１２０は、タイミング制御部１５０からデータ駆動制御信号ＤＣＳを受信する。データ駆動制御信号ＤＣＳを受信したデータ駆動部１２０は、水平期間毎に出力線Ｏ１〜Ｏｉの各々にｊ個のデータ信号を供給する。ここで、データ駆動部１２０は、第１走査信号が供給されることなく、第２走査信号が供給される期間において出力線Ｏ１〜Ｏｉにデータ信号を供給する。 
【００２６】
　タイミング制御部１５０は、外部から供給される同期信号に対応してデータ駆動制御信号ＤＣＳ及び走査駆動制御信号ＳＣＳを生成する。タイミング制御部１５０で生成されたデータ駆動制御信号ＤＣＳはデータ駆動部１２０に供給され、走査駆動制御信号ＳＣＳは走査駆動部１１０に供給される。また、タイミング制御部１５０は、外部から供給されるデータＤａｔａをデータ駆動部１２０に供給する。 
【００２７】 
　ＤＥＭＵＸ１７０は、出力線Ｏ１〜Ｏｉの各々とｊ本の第１データ線との間に接続される。このＤＥＭＵＸ１７０は、スイッチ制御部１８０から供給される制御信号ＣＳ１、ＣＳ２、ＣＳ３に対応して出力線Ｏ１〜Ｏｉに供給されるｊ個のデータ信号をｊ本の第１データ線に分配する。
【００２８】
　共通回路部１６０は、第１データ線Ｄ１１〜Ｄ１ｍと第２データ線Ｄ２１〜Ｄ２ｍとの間に形成される。共通回路部１６０は、外部から初期電源Ｖｉｎｔ及び基準電源Ｖｒｅｆを受ける。初期電源Ｖｉｎｔ及び基準電源Ｖｒｅｆを受けた共通回路部１６０は、スイッチ制御部１８０の制御に対応して、自身と接続した第１データ線の電圧を制御する。
【００２９】
　スイッチ制御部１８０は、ＤＥＭＵＸ１７０及び共通回路部１６０に制御信号ＣＳ１〜ＣＳ５を供給しながら、ＤＥＭＵＸ１７０及び共通回路部１６０に備えられたトランジスタのターンオン及びターンオフを制御する。実際に、スイッチ制御部１８０は、ＤＥＭＵＸ１７０に備えられた３つのトランジスタを制御するために、第３制御信号ないし第５制御信号ＣＳ３〜ＣＳ５を供給し、共通回路部１６０に備えられた２つのトランジスタを制御するために、第１制御信号ＣＳ１及び第２制御信号ＣＳ２を供給する。一方、図２では、説明の便宜上、スイッチ制御部１８０が別途に示されているが、本発明はこれに限定されない。例えば、スイッチ制御部１８０の構成は、タイミング制御部１５０に備えられ得る。この場合、タイミング制御部１５０で第１制御信号ないし第５制御信号ＣＳ１〜ＣＳ５を生成し、ＤＥＭＵＸ１７０及び共通回路部１６０の駆動を制御する。
【００３０】
　
画素１４０の各々は、外部から第１電源ＥＬＶＤＤ及び第２電源ＥＬＶＳＳを受ける。第１電源ＥＬＶＤＤ及び第２電源ＥＬＶＳＳを受けた画素１４０は、データ信号に対応して、第１電源ＥＬＶＤＤから有機発光ダイオード（図示せず）を経由して第２電源ＥＬＶＳＳに流れる電流量を制御しながら、所定輝度の光を生成する。
【００３１】
　
図３は、図２に示す画素の実施形態を示す図である。図３では、説明の便宜上、第２ｍデータ線Ｄ２ｍ及び第１ｎ走査線Ｓ１ｎに接続された画素を示すものとする。
【００３２】
　
図３に示すように、本実施形態による画素１４０は、有機発光ダイオードＯＬＥＤと、有機発光ダイオードＯＬＥＤに電流を供給するための画素回路１４２とを備える。
【００３３】
　
有機発光ダイオードＯＬＥＤのアノード電極は画素回路１４２に接続され、カソード電極は第２電源ＥＬＶＳＳに接続される。この有機発光ダイオードＯＬＥＤは、画素回路１４２から供給される電流量に対応して所定輝度の光を生成する。
【００３４】
　画素回路１４２は、データ信号に対応する所定の電圧を受け、前記電圧に対応する電流を有機発光ダイオードＯＬＥＤに供給する。このため、
画素回路１４２は、第１ないし第４トランジスタＭ１〜Ｍ４
を備える。
【００３５】
　
第１トランジスタＭ１の第１電極は、第２データ線Ｄ２ｍを経由して共通回路部１６０に接続され、第２電極は第２トランジスタＭ２のゲート電極に接続される。また、第１トランジスタＭ１のゲート電極は第２走査線Ｓ２ｎに接続される。この第１トランジスタＭ１は、第２走査線Ｓ２ｎに走査信号が供給されたときにターンオンされる。
【００３６】
　第２トランジスタＭ２の第１電極は第１電源ＥＬＶＤＤに接続され、第２電極は第４トランジスタＭ４の第１電極に接続される。また、第２トランジスタＭ２のゲート電極は第１トランジスタＭ１の第２電極に接続される。この第２トランジスタＭ２は、自身のゲート電極に印加された電圧に対応する電流を、第４トランジスタＭ４を経由して有機発光ダイオードＯＬＥＤに供給する。
【００３７】
　
第３トランジスタＭ３の第１電極は第２トランジスタＭ２の第２電極に接続され、第２電極は第２トランジスタＭ２のゲート電極に接続される。また、第３トランジスタＭ３のゲート電極は第１走査線Ｓ１ｎに接続される。この第３トランジスタＭ３は、第１走査線Ｓ１ｎに走査信号が供給されたときにターンオンされる。この場合、第３トランジスタＭ３は、第１トランジスタＭ１がターンオンされた後にターンオンされ、第１トランジスタＭ１がターンオフされる前にターンオフされる。一方、第３トランジスタＭ３がターンオンされると、第２トランジスタＭ２はダイオード形態で接続される。
【００３８】
　第４トランジスタＭ４の第１電極は第２トランジスタＭ２の第２電極に接続され、第２電極は有機発光ダイオードＯＬＥＤのアノード電極に接続される。また、第４トランジスタＭ４のゲート電極は発光制御線Ｅｎに接続される。この第４トランジスタＭ４は、発光制御信号が供給されたときにターンオフされ、発光制御信号が供給されないときにターンオンされる。
【００３９】
　ストレージキャパシタＣｓｔは、第２トランジスタＭ２のゲート電極と第１電極との間に接続される。このストレージキャパシタＣｓｔは、第２トランジスタＭ２のゲート電極に印加される電圧に対応して所定の電圧を充電する。」
（ｄ）
「【００５１】   
　図６は、ＤＥＭＵＸ、共通回路部、及び画素の接続構造を示す図である。図６では、説明の便宜上、ｉ番目の出力線Ｏｉに接続されたＤＥＭＵＸ、共通回路部、及び画素を示すものとする。 
【００５２】  
　図６に示すように、出力線ＯｉはＤＥＭＵＸ１７０に接続され、ＤＥＭＵＸ１７０は第１データ線Ｄ１ｍ−２、Ｄ１ｍ−１、Ｄ１ｍの各々に接続される第１０トランジスタＭ１０、第１１トランジスタＭ１１、及び第１２トランジスタＭ１２を備える。 
【００５３】
　
共通回路部１６０は、第１データ線Ｄ１ｍ−２、Ｄ１ｍ−１、Ｄ１ｍと第２データ線Ｄ２ｍ−２、Ｄ２ｍ−１、Ｄ２ｍとの間にそれぞれ位置する。この共通回路部１６０は、初期電源Ｖｉｎｔ、基準電源Ｖｒｅｆ、及びデータ信号に対応して、第２データ線Ｄ２ｍ−２、Ｄ２ｍ−１、Ｄ２ｍの電圧を制御する。
【００５４】
　また、図６において、データキャパシタＣｄａｔａは、寄生キャパシタを等価的に示したものである。ここで、第１キャパシタＣ１の第１端子とＤＥＭＵＸ１７０とは互いに隣接して位置するため、第１データ線によって形成された寄生キャパシタは駆動に影響を及ぼさない。しかし、第１キャパシタＣ１の第２端子と垂直ライン単位で形成された画素１４０とは一定の距離を持つため、第２データ線の寄生キャパシタは駆動に影響を及ぼす。特に、大型パネルであるほど、第２データ線の寄生キャパシタによる影響は大きくなる。したがって、本発明では、駆動に影響を及ぼす第２データ線の寄生キャパシタをデータキャパシタＣｄａｔａｔとして示すものとする。 
【００５５】
　図７は、図６に示すＤＥＭＵＸ、共通回路部、及び画素の駆動方法を示すタイミングチャートである。 
【００５６】
　図７に示すように、１水平期間１Ｈは、第１期間ないし第５期間ｔ１〜ｔ５に分割されて駆動される。 
【００５７】
　
まず、第１期間ｔ１において、第１制御信号ＣＳ１及び第２制御信号ＣＳ２が供給される。ここで、第１制御信号ＣＳ１は、第１期間ないし第４期間ｔ１〜ｔ４の間に供給され、第２制御信号ＣＳ２は第１期間ｔ１に供給される。
【００５８】
　
第１制御信号ＣＳ１が供給されると、図８ａに示すように、第１共通トランジスタＣＭ１がターンオンされる。第１共通トランジスタＣＭ１がターンオンされると、第２ノードＮ２（すなわち、第１キャパシタＣ１の第１端子）に基準電源Ｖｒｅｆの電圧が供給される。
【００５９】
　
第２制御信号ＣＳ２が供給されると、第２共通トランジスタＣＭ２がターンオンされる。第２共通トランジスタＣＭ２がターンオンされると、第３ノードＮ３（すなわち、第１キャパシタＣ１の第２端子）に初期電源Ｖｉｎｔが供給される。
【００６０】
　一方、第１期間ｔ１において、第１トランジスタＭ１は、ターンオフ状態を維持するため、第１ノードＮ１（すなわち、第２トランジスタＭ２のゲート電極）は、前のフレーム期間に充電された電圧を維持する。 
【００６１】
　第２期間ｔ２には、第２走査線Ｓ２ｎに第２走査信号が供給される。第２走査線Ｓ２ｎに走査信号が供給されると、図８ｂに示すように、第１トランジスタＭ１がターンオンされる。第１トランジスタＭ１がターンオンされると、第１ノードＮ１と第３ノードＮ３とが電気的に接続される。一方、第２走査信号は、第２期間ないし第５期間ｔ２〜ｔ５の間に供給される。
【００６２】
　
第３期間ｔ３には、第１走査線Ｓ１ｎに第１走査信号が供給される。第１走査線Ｓ１ｎに第１走査信号が供給されると、図８ｃに示すように、第３トランジスタＭ３がターンオンされる。第３トランジスタＭ３がターンオンされると、第２トランジスタＭ２がダイオード形態で接続される。この場合、第１ノードＮ１及び第３ノードＮ３の電圧は、下記式１のように、第１電源ＥＬＶＤＤの電圧から第２トランジスタＭ２の閾値電圧の絶対値を減じた電圧に設定される。
【００６３】
【数１】
【００６４】
　一方、本実施形態では、第２走査線Ｓ２ｎに第２走査信号が供給された後、第１走査線Ｓ１ｎに第１走査信号を供給する。すなわち、本実施形態では、第２走査信号を先に供給して第１ノードＮ１の電圧を所望の電圧に初期化させた後、第１走査信号を供給することにより、動作の信頼性を確保することができる。 
【００６５】
　第４期間ｔ４には、第１走査信号の供給が中断される。第１走査信号の供給が中断されると、図８ｄのように、第３トランジスタＭ３がターンオフされる。 
【００６６】 
　
第５期間ｔ５には、第１制御信号ＣＳ１の供給が中断されると共に、第３制御信号ＣＳ３、第４制御信号ＣＳ４、及び第５制御信号ＣＳ５が順次供給される。第１制御信号ＣＳ１の供給が中断されると、図８ｅのように、第１共通トランジスタＣＭ１がターンオフされる。ここで、第１走査信号の供給が中断された後に第１制御信号ＣＳ１の供給が中断されるため、第３トランジスタＭ３のターンオフにかかわらず、第２ノードＮ２は、基準電源Ｖｒｅｆの電圧を維持する。
（ｅ）引用文献１には以下の図が示されている。
【図２】
【図３】 
【図６】
【図７】
【図８ａ】
【図８ｃ】
【図８ｅ】
　また、上記記載事項及び図示内容によれば、以下の事項が認められる。
（ｆ）
「第１キャパシタＣ１の第２端子が、第２データ線Ｄ２ｍ−２，Ｄ２ｍ−１，Ｄ２ｍに接続されていること」（図６参照。）
（ｇ）
「画素回路１４２が、第１走査線Ｓ１１〜Ｓ１ｎ、第２走査線Ｓ２１〜２ｎと第２データ線Ｄ２ｍ−２，Ｄ２ｍ−１，Ｄ２ｍとの交差に対応して設けられていること」（図２、３参照。）
（ｈ）
「第１トランジスタＭ１が、データ線Ｄ２ｍ−２，Ｄ２ｍ−１，Ｄ２ｍと第２トランジスタＭ２のゲートとの間に接続されていること」（図３、６参照。）
（ｉ）
「第３トランジスタＭ３が、第２トランジスタＭ２におけるゲートとドレインとの間に接続されていること」（図３、６参照。）
（ｊ）
「第２トランジスタＭ２と有機発光ダイオードＯＬＥＤとは、第１電源ＥＬＶＤＤと第２電源ＥＬＶＳＳとの間で直列に接続されていること」（図３、６参照。）
（ｋ）
「第１期間ｔ１に、第２データ線Ｄ２ｍ−２，Ｄ２ｍ−１，Ｄ２ｍに初期電源Ｖｉｎｔを供給するとともに、第１キャパシタＣ１の第１端子に基準電源Ｖｒｅｆの電圧を供給していること」（図７、８ａ参照。）
（ｌ）
「第３期間ｔ３に、第２データ線Ｄ２ｍ−２，Ｄ２ｍ−１，Ｄ２ｍへの初期電源Ｖｉｎｔの電圧の供給を停止するとともに、第１キャパシタＣ１の第１端子に基準電源Ｖｒｅｆの電圧を供給した状態で第１トランジスタＭ１および前記第３トランジスタＭ３をオンしていること」（図７、８ｃ参照。）
（ｍ）
「第５期間ｔ５に、第１共通トランジスタＣＭ１がターンオフされて、第１キャパシタＣ１の第１端子への基準電源Ｖｒｅｆの供給が停止されていること」（図７、８ｅ参照。）
　上記（ａ）〜（ｄ）、（ｆ）〜（ｍ）の事項から、引用文献１に開示されている発明を、本願発明に即して整理すれば次のとおりである（以下、「引用発明」という。）
「第１走査線Ｓ１１〜Ｓ１ｎ、第２走査線Ｓ２１〜２ｎと（段落【００２１】、図２参照。）、
　第２データ線Ｄ２ｍ−２，Ｄ２ｍ−１，Ｄ２ｍと（段落【００２１】、図２、３、６参照。）、
　第２端子が前記第２データ線Ｄ２ｍ−２，Ｄ２ｍ−１，Ｄ２ｍに接続された第１キャパシタＣ１と（図６参照。）、
　前記第１走査線Ｓ１１〜Ｓ１ｎ、第２走査線Ｓ２１〜２ｎと前記第２データ線Ｄ２ｍ−２，Ｄ２ｍ−１，Ｄ２ｍとの交差に対応して設けられた画素回路１４２と（段落【００２１】、【００３１】、【００３２】、図２、３参照。）、
　を有し、
　前記画素回路１４２は、
　第２トランジスタＭ２と（段落【００３４】、【００３５】、図３参照。）、
　前記第２データ線Ｄ２ｍ−２，Ｄ２ｍ−１，Ｄ２ｍと前記第２トランジスタＭ２のゲートとの間に接続され、第１トランジスタＭ１と（段落【００３４】、【００３５】、図３、６参照。）、
　前記第２トランジスタＭ２におけるゲートとドレインとの間に接続され、第３トランジスタＭ３と、を含み（段落【００３４】、【００３７】、図３、６参照。）、
　前記第２トランジスタＭ２と有機発光ダイオードＯＬＥＤとは、第１電源ＥＬＶＤＤと第２電源ＥＬＶＳＳとの間で直列に接続された有機電界発光表示装置の駆動方法であって（段落【０００１】、【００１４】、【００３０】、【００３３】、図３、６参照。）、
　第１期間ｔ１に、第２データ線Ｄ２ｍ−２，Ｄ２ｍ−１，Ｄ２ｍに初期電源Ｖｉｎｔを供給するとともに、第１キャパシタＣ１の第１端子に基準電源Ｖｒｅｆの電圧を供給し（段落【００５７】−【００５９】、図６、７、８ａ参照。）、
　第３期間ｔ３に、前記第２データ線Ｄ２ｍ−２，Ｄ２ｍ−１，Ｄ２ｍへの初期電源Ｖｉｎｔの電圧の供給を停止するとともに、前記第１キャパシタＣ１の第１端子に基準電源Ｖｒｅｆの電圧を供給した状態で前記第１トランジスタＭ１および前記第３トランジスタＭ３をオンさせ（段落【００６２】−【００６３】、図７、８ｃ参照。）、
　第５期間ｔ５に、前記第１キャパシタＣ１の第１端子への前記基準電源Ｖｒｅｆの供給を停止する（段落【００６６】、図７、８ｅ参照。）
　ことを特徴とする有機電界発光表示装置の駆動方法。」
２．引用文献２について
　原査定の拒絶の理由に引用された上記引用文献２には、図面とともに次の事項が記載されている。
（ｎ）
「【０００１】
     （発明の属する技術分野）
　本発明は、一般的には表示装置用のバス配列に関するものであり、特に、
液晶表示装置（ＬＣＤ）あるいはプラズマ表示装置のような表示装置
（ｏ）
「【０００６】
     （発明の実施の形態）   
　図１はＳＶＧＡ（Ｓｕｐｅｒ  Ｖｉｄｅｏ  Ｇｒａｐｈｉｃｓ  Ａｒｒａｙ）液晶アレイに情報を記憶させるための集積化されたドライバ装置を示す図である。本発明はプラズマ表示装置のピクセルに情報を記憶させるために使用することもできることを理解すべきである。アナログ回路１１は、表示しようとする画像情報を表わすビデオ信号を例えばアンテナ１２から受信する。アナログ回路１１は、アナログ−ディジタル（Ａ／Ｄ）変換器１４への入力信号としてライン１３上にビデオ信号を供給する。
【０００７】   
　アナログ回路１１からのテレビジョン信号は、例えば水平方向にｍ＝６００行、垂直方向にｎ＝２４００列に配列された液晶セル１６ａのような多数のピクセル素子からなる液晶アレイ１６上に表示される。液晶アレイ１６は、液晶セル１６ａの垂直列の各々について１個ずつで、ｎ＝２４００列のデータ・ライン１７と、液晶セル１６ａの水平行の各々について１個ずつで、ｍ＝６００の選択ライン１８を含んでいる。 　
【０００８】
　
Ａ／Ｄ変換器１４は、１００グループの出力ライン２２を具えたメモリ２１に輝度レベル、すなわちグレー（ｇｒａｙ：灰）スケール・コードを供給する出力バス１９を有している。
Ｄ／Ａ変換器２３からの出力アナログ信号ＤＢＳ（ｊ）は、対応する輝度情報キャリー導体ＤＢ（ｊ）を介して、対応する列に関連するデマルチプレクサ・トランジスタＭＮＩに供給される。
デマルチプレクサ・トランジスタＭＮＩは、対応する輝度情報キャリー導体ＤＢ（ｊ）上に発生した信号ＤＢＳ（ｊ）の情報を対応するサンプリング・キャパシタＣ４３に供給して、アナログ信号ＶＣ４３をそのキャパシタＣ４３中に記憶させる。信号ＶＣ４３は対応するデータ・ライン・ドライバ１００に供給され、該ドライバ１００は対応する列に関連する対応するデータ・ライン１７を駆動する。
【０００９】
　選択ライン・スキャナ６０は、アレイ１６の所定の行を通常の態様で選択する行選択信号をライン１８中に発生する。１００本のデータ・ライン１７に発生した電圧は、３２マイクロ秒のライン時間の期間中に選択された行のピクセル１６ａに供給される。
【００１０】   
　輝度情報キャリー導体ＤＢ（ｊ）中に発生した図１の１００個の信号ＤＢＳ（ｊ）の所定のグループ中のサンプリングは、選択ワードを形成する対応するデータ−ワード・パルス信号（Ｄａｔａ  Ｗｏｒｄ  ｐｕｌｓｅ  Ｓｉｇｎａｌ）ＤＷＳ（ｉ）の制御の下で同時に行なわれる。２４本の別々のデータ−ワード導体ＤＷ（ｉ）上に発生する２４個のパルス信号ＤＷＳ（ｉ）が存在し、この２４個のパルス信号ＤＷＳ（ｉ）は３２マイクロ秒の水平ライン時間の期間中に連続的に生ずる。符号（ｉ）は２４本の別々のデータ?ワード導体ＤＷ（ｉ）に関連する１乃至２４の値を仮定する。各パルス信号ＤＷＳ（ｉ）はキャパシタＣ４３中の１００個の信号ＤＢＳ（ｊ）の対応するグループのサンプリングを制御する。
【００１１】   
　
時間を効率よく利用するために、２段パイプライン・サイクル（ｔｗｏ−ｓｔａｇｅ  ｐｉｐｅｌｉｎｅ  ｃｙｃｌｅ）が使用される。信号ＤＢＳ（ｊ）はパルス信号ＤＷＳ（ｉ）の動作によってデマルチプレックスされ、２４００個のキャパシタＣ４３中に記憶される。次いで、キャパシタＣ４３中の情報はデータ・ライン・ドライバ１００に同時に転送される。従って、キャパシタＣ４３は次の行情報のデマルチプレックスのために利用可能になり、一方先行する行情報はピクセルに供給される。
　上記（ｎ）、（ｏ）の事項及び第１図からみて、上記引用文献２には、液晶表示装置（ＬＣＤ）あるいはプラズマ表示装置のような表示装置において、時間を効率よく利用するために、輝度情報キャリー導体ＤＢ（ｊ）上に発生した信号ＤＢＳ（ｊ）がデマルチプレックスされてキャパシタＣ４３中に記憶され、次いで、複数のキャパシタＣ４３中の情報はデータ・ライン・ドライバ１００に同時に転送されるという技術的事項が記載されていると認められる。
第５　対比・判断
１．本願発明１について
（１）対比
　本願発明１と引用発明とを対比すると、次のことがいえる。
ア　引用発明における「第１走査線Ｓ１１〜Ｓ１ｎ、第２走査線Ｓ２１〜２ｎ」、「第２データ線Ｄ２ｍ−２，Ｄ２ｍ−１，Ｄ２ｍ」、「有機電界発光表示装置の駆動方法」は、本願発明１における「走査線」、「データ線」、「電気光学装置の駆動方法」に相当する。
イ　引用発明における「第２端子が前記第２データ線Ｄ２ｍ−２，Ｄ２ｍ−１，Ｄ２ｍに接続された第１キャパシタＣ１」が、本願発明１における「一端が前記データ線に接続された第１容量素子」に相当する。
ウ　引用文献１には、画素１４０が画素回路１４２と有機発光ダイオードＯＬＥＤを有する回路で構成されていることが図示されており（図６参照）、引用発明における「前記第１走査線Ｓ１１〜Ｓ１ｎ、第２走査線Ｓ２１〜２ｎと前記第２データ線Ｄ２ｍ−２，Ｄ２ｍ−１，Ｄ２ｍとの交差に対応して設けられた画素回路１４２」と「有機発光ダイオードＯＬＥＤを有する回路が、本願発明１における「前記走査線と前記データ線との交差に対応して設けられた画素回路」に相当する。
エ　上記「ウ」で述べた事項と、引用発明における「前記画素回路１４２は、第２トランジスタＭ２と、前記第２データ線Ｄ２ｍ−２，Ｄ２ｍ−１，Ｄ２ｍと前記第２トランジスタＭ２のゲートとの間に接続され、第１トランジスタＭ１と、前記第２トランジスタＭ２におけるゲートとドレインとの間に接続され、第３トランジスタＭ３と、を含」むことを考慮すると、引用発明における、「画素回路１４２」と「有機発光ダイオードＯＬＥＤを有する回路」が、「第２トランジスタＭ２と、前記第２データ線Ｄ２ｍ−２，Ｄ２ｍ−１，Ｄ２ｍと前記第２トランジスタＭ２のゲートとの間に接続され、第１トランジスタＭ１と、前記第２トランジスタＭ２におけるゲートとドレインとの間に接続され、第３トランジスタＭ３と、を含」むことが、本願発明１における「前記画素回路は、第１トランジスターと、発光素子と、前記データ線と前記第１トランジスターのゲートとの間に接続され、オンまたはオフする第２トランジスターと、前記第１トランジスターにおけるゲートとドレインとの間に接続され、オンまたはオフする第３トランジスターと、を含」むことに相当する。
オ　引用発明における「前記第２トランジスタＭ２と有機発光ダイオードＯＬＥＤとは、第１電源ＥＬＶＤＤと第２電源ＥＬＶＳＳとの間で直列に接続された」ことが、本願発明１における「前記第１トランジスターと前記発光素子とは、高位側の電源と低位側の電源との間で直列に接続された」ことに相当する。
カ　引用発明における「第２データ線Ｄ２ｍ−２，Ｄ２ｍ−１，Ｄ２ｍに初期電源Ｖｉｎｔを供給するとともに、第１キャパシタＣ１の第１端子に基準電源Ｖｒｅｆの電圧を供給」する「第１期間ｔ１」が、本願発明１における「前記データ線に初期電位を供給するとともに、前記第１容量素子の他端に第１電位を供給する第１期間」に相当する。
キ　引用発明において、「第３期間ｔ３」は「第１期間ｔ１」よりも後の期間であること（図７参照）から、該「第３期間ｔ３」は、本願発明１における「前記第１期間の後の第２期間」に相当しており、引用発明における「第３期間ｔ３に、前記第２データ線Ｄ２ｍ−２，Ｄ２ｍ−１，Ｄ２ｍへの初期電源Ｖｉｎｔの電圧の供給を停止するとともに、前記第１キャパシタＣ１の第１端子に基準電源Ｖｒｅｆの電圧を供給した状態で前記第１トランジスタＭ１および前記第３トランジスタＭ３をオンさせ」ることが、本願発明１における「前記第１期間の後の第２期間に、前記データ線への初期電位の供給を停止するとともに、前記第１容量素子の他端に第１電位を供給した状態で前記第２トランジスターおよび前記第３トランジスターをオンさせ」ることに相当する。
ク　引用発明において、「第５期間ｔ５」は「第３期間ｔ３」よりも後の期間であること（図７参照）から、該「第５期間ｔ５」は、本願発明１における「前記第２期間の後の第３期間」に相当しており、引用発明における「第５期間ｔ５に、前記第１キャパシタＣ１の第１端子への前記基準電源Ｖｒｅｆの供給を停止する」ことが、本願発明１における「前記第２期間の後の第３期間に、前記第１容量素子の他端への前記第１電位の供給を停止」することに相当する。
　したがって、本願発明１と引用発明との間には、次の一致点、相違点があるといえる。
（一致点）
「走査線と、
　データ線と、
　一端が前記データ線に接続された第１容量素子と、
　前記走査線と前記データ線との交差に対応して設けられた画素回路と、
　を有し、
　前記画素回路は、
　第１トランジスターと、
　発光素子と、
　前記データ線と前記第１トランジスターのゲートとの間に接続され、オンまたはオフする第２トランジスターと、
　前記第１トランジスターにおけるゲートとドレインとの間に接続され、オンまたはオフする第３トランジスターと、を含み、
　前記第１トランジスターと前記発光素子とは、高位側の電源と低位側の電源との間で直列に接続された電気光学装置の駆動方法であって、
　前記データ線に初期電位を供給するとともに、前記第１容量素子の他端に第１電位を供給する第１期間を有し、
　前記第１期間の後の第２期間に、前記データ線への初期電位の供給を停止するとともに、前記第１容量素子の他端に第１電位を供給した状態で前記第２トランジスターおよび前記第３トランジスターをオンさせ、
　前記第２期間の後の第３期間に、前記第１容量素子の他端への前記第１電位の供給を停止する
　ことを特徴とする電気光学装置の駆動方法。」
（相違点）
　本願発明１は、「一端の電位を保持する第２容量素子」を有し、「第１期間内に、前記第１容量素子の他端と前記第２容量素子の一端とを非接続とした状態で、前記第２容量素子の一端に入力端を介してデータ信号を供給」し、「第３期間」に「前記第２容量素子の一端を、前記入力端とは非接続として前記第１容量素子の他端に接続する」構成を備えるのに対し、引用発明はそのような構成を備えていない点。
（２）相違点についての判断
　「第４　引用文献、引用発明等」の「２．引用文献２について」に記載のとおり、引用文献２には、時間を効率よく利用するために、輝度情報キャリー導体ＤＢ（ｊ）上に発生した信号ＤＢＳ（ｊ）がデマルチプレックスされてキャパシタＣ４３中に記憶され、次いで、キャパシタＣ４３中の情報はデータ・ライン・ドライバ１００に同時に転送されるという技術的事項が記載されている。
　しかしながら、引用文献２に記載されている該技術的事項において、「時間を効率よく利用する」ということが、どのような時間を効率よく利用しようとしているのかが不明である。また、引用発明は「有機電界発光表示装置」を対象とした発明であるのに対して、引用文献２に記載された技術的事項は、液晶表示装置（ＬＣＤ）あるいはプラズマ表示装置のような表示装置を対象としたものであり、両発明の前提とする表示装置は異なるものである。そして、引用文献２に記載されている上記技術的事項において効率よく利用しようとする「時間」が、引用発明においても共通する時間であるのか否かについても不明である。そのため、引用文献２に記載されている技術的事項によって、引用発明において具体的にどのような時間を効率よく利用できるのかが不明でもある。
　してみると、引用発明に対して、引用文献２に記載されている技術的事項を採用する動機付けが存在するとはいえない。
　そして、本願発明は、１水平走査期間に実行すべき動作について時間的な制約を緩和することができ、補償期間を長く確保することが可能である、という引用発明及び引用文献２に記載された技術的事項から当業者が予測することができない効果（本願の明細書における段落【００８０】参照。）を奏するものである。
　したがって、本願発明１は、当業者であっても引用発明及び引用文献２に記載された技術的事項に基づいて容易に発明できたものであるとはいえない。
２．本願発明２について
　本願発明２は、「前記第１容量素子の他端と前記第２容量素子の一端とを非接続とした状態で、前記第２容量素子の一端に入力端を介してデータ信号を供給」するタイミングが「第１期間」ではなく「第２期間」である点のみが、本願発明１と異なる発明であるから、本願発明２も、上記の相違点で引用発明と相違する。
　したがって、本願発明２は、本願発明１と同じ理由により、当業者であっても、引用発明及び引用文献２に記載された技術的事項に基づいて容易に発明できたものとはいえない。
第６　原査定について
１．理由１（特許法第１７条の２第３項）について
　本願発明１−２は、１水平走査期間に実行すべき動作について時間的な制約を緩和することができ、補償期間を長く確保することが可能であるという効果（本願の当初明細書における段落【００８０】参照）を奏する発明として、本願の当初明細書等において明示的に記載された発明であると認められる。
　したがって、平成３０年１月４日付け手続補正書でした補正は、当初明細書等に記載した事項の範囲内においてしたものであり、原査定の理由１を維持することはできない。
２．理由２（特許法第２９条第２項）について
　本願発明１−２は、「一端の電位を保持する第２容量素子」を有し、「第１期間」または「第２期間」内に、「前記第１容量素子の他端と前記第２容量素子の一端とを非接続とした状態で、前記第２容量素子の一端に入力端を介してデータ信号を供給」し、「第３期間」に「前記第２容量素子の一端を、前記入力端とは非接続として前記第１容量素子の他端に接続する」という事項を有するものとなっており、当業者であっても、拒絶査定に引用された引用文献１−２に基づいて、容易に発明できたものとはいえない。したがって、原査定の理由２を維持することはできない。
第７　むすび
　以上のとおり、原査定の理由によっては、本願を拒絶することはできない。
　また、他に本願を拒絶すべき理由を発見しない。
　よって、結論のとおり審決する。